(57)【要約】【課題】ＲＦＩＤタグの偽造を防止したタグバンド及びその使用方法を提供する。【解決手段】ＲＦＩＤと結束バンドとを一体化させたタグバンドにおいて、ＲＦＩＤタグと結束バンドの頭部とを一体化させたことにより、結束バンドを切るとタグバンドそのものが使用できなくなるので、ＲＦＩＤタグの再利用ができなくなり、偽造を防止することができる。【選択図】図１
2008292639.tif 000002
【特許請求の範囲】
【請求項１】
ＲＦＩＤと結束バンドとを一体化させたタグバンドにおいて、
前記ＲＦＩＤタグと前記結束バンドの頭部とを一体化させたことを特徴とするタグバンド。
【請求項２】
流通品に関する情報を記録したＲＦＩＤと流通品に巻き付けられる結束バンドとを一体化させたタグバンドにおいて、
前記ＲＦＩＤタグと前記結束バンドの頭部とを一体化させたことを特徴とするタグバンド。
【請求項３】
前記ＲＦＩＤタグは付箋状に形成されていることを特徴とする請求項１または２記載のタグバンド。
【請求項４】
前記ＲＦＩＤタグはＱＲコードを有することを特徴とする請求項３記載のタグバンド。
【請求項５】
前記ＲＦＩＤタグにＱＲコードが直接印刷されていることを特徴とする請求項３記載のタグバンド。
【請求項６】
前記ＲＦＩＤタグにＱＲコードが印刷された印刷物が貼り付けられていることを特徴とする請求項３記載のタグバンド。
【請求項７】
結束バンドの頭部とＲＦＩＤタグとを一体化させたタグバンドの前記ＲＦＩＤタグに流通品に関する情報を記録した後で前記流通品に巻き付けることを特徴とするタグバンドの使用方法。
【請求項８】
結束バンドの頭部とＲＦＩＤタグとを一体化させたタグバンドを流通品に巻き付けた後で前記ＲＦＩＤタグに前記流通品に関する情報を記録することを特徴とするタグバンドの使用方法。
【請求項９】
前記ＲＦＩＤタグはＱＲコードを有することを特徴とする請求項７または８記載のタグバンドの使用方法。
【発明の詳細な説明】
【技術分野】
【０００１】
本発明は、ＲＦＩＤと結束バンドとを一体化させたタグバンド及びその使用方法に関する。
【背景技術】
【０００２】
近年、消費者による食品や食材に関する関心が高まり、産地や製造年月日などの情報を知ることが容易となった。
例えば魚介類などの流通品に関して、その産地情報をＲＦＩＤタグに書き込んで流通させることが行われている。このような場合において、産地情報データを書き込んだＲＦＩＤタグを流通品に取り付ける場合の手法として、シール形式で流通品に貼付したり、あるいは一度絞ると切る以外に取り外せない結束バンドを使ってＲＦＩＤタグを流通品に取り付けたりしていた。
【０００３】
また、病院の入院患者や遊技場の入場者を識別するために手首に取り付けるためのＲＦＩＤが組み込まれたビニール製のバンドが用いられている。
【０００４】
さらに非接触型ＩＣチップ（ＲＦＩＤ）や電子タグ等の個体識別管理器具を生物に取り付けるための安価な器具が提案されている（例えば、特許文献１参照。）。
【特許文献１】特開２００７−０００００４号公報
【発明の開示】
【発明が解決しようとする課題】
【０００５】
しかしながら、上述した従来の技術のうちシールを用いるケースではシールを剥がすことができ、他の流通品の偽造のために容易に再利用されてしまう点、結束バンドでＲＦＩＤを取り付けるケースでは別の結束バンドのみ購入すれば他の偽りの流通品に再利用し、産地を偽造されてしまう点、更にはビニール製のバンドにおいては一度取り付けた位置の調整ができないため、取り付ける際に緩い取り付けをしてしまうと、例えばカニやタコの足など棒状形状のものは抜けてしまい、別の品物に対して例えば産地偽造目的などで再利用されてしまう点等の問題点があった。
【０００６】
そこで、本発明の目的は、ＲＦＩＤタグの偽造を防止したタグバンド及びその使用方法を提供することにある。
【課題を解決するための手段】
【０００７】
上記課題を解決するため、請求項１記載の発明は、ＲＦＩＤと結束バンドとを一体化させたタグバンドにおいて、前記ＲＦＩＤタグと前記結束バンドの頭部とを一体化させたことを特徴とする。
【０００８】
請求項２記載の発明は、流通品に関する情報を記録したＲＦＩＤと流通品に巻き付けられる結束バンドとを一体化させたタグバンドにおいて、前記ＲＦＩＤタグと前記結束バンドの頭部とを一体化させたことを特徴とする。
【０００９】
請求項３記載の発明は、請求項１または２記載の発明において、前記ＲＦＩＤタグは付箋状に形成されていることを特徴とする。
【００１０】
請求項４記載の発明は、請求項３記載の発明において、前記ＲＦＩＤタグはＱＲコードを有することを特徴とする。
【００１１】
請求項５記載の発明は、請求項３記載の発明において、前記ＲＦＩＤタグにＱＲコードが直接印刷されていることを特徴とする。
【００１２】
請求項６記載の発明は、請求項３記載の発明において、前記ＲＦＩＤタグにＱＲコードが印刷された印刷物が貼り付けられていることを特徴とする。
【００１３】
請求項７記載の発明は、結束バンドの頭部とＲＦＩＤタグとを一体化させたタグバンドの前記ＲＦＩＤタグに流通品に関する情報を記録した後で前記流通品に巻き付けることを特徴とする。
【００１４】
請求項８記載の発明は、結束バンドの頭部とＲＦＩＤタグとを一体化させたタグバンドを流通品に巻き付けた後で前記ＲＦＩＤタグに前記流通品に関する情報を記録することを特徴とする。
【００１５】
請求項９記載の発明は、請求項７または８記載の発明において、前記ＲＦＩＤタグはＱＲコードを有することを特徴とする。
【発明の効果】
【００１６】
本発明によれば、ＲＦＩＤと結束バンドとを一体化させたタグバンドにおいて、ＲＦＩＤタグと結束バンドの頭部とを一体化させたことにより、結束バンドを切るとタグバンドそのものが使用できなくなるので、ＲＦＩＤタグの再利用ができなくなり、偽造を防止することができる。
【発明を実施するための最良の形態】
【００１７】
本発明に係るタグバンドは、結束バンドとＲＦＩＤタグとを一体化することで偽造防止を図るものである。
【００１８】
本発明のタグバンドに係る発明の一実施の形態は、ＲＦＩＤと結束バンドとを一体化させたタグバンドにおいて、ＲＦＩＤタグと結束バンドの頭部とを一体化させたことを特徴とする。
【００１９】
上記構成によれば、ＲＦＩＤと結束バンドとを一体化させたタグバンドにおいて、ＲＦＩＤタグと結束バンドの頭部とを一体化させたことにより、結束バンドを切るとタグバンドそのものが使用できなくなるので、ＲＦＩＤタグの再利用ができなくなり偽造を防止することができる。
【００２０】
本発明のタグバンドに係る発明の他の実施の形態は、流通品に関する情報を記録したＲＦＩＤと流通品に巻き付けられる結束バンドとを一体化させたタグバンドにおいて、ＲＦＩＤタグと結束バンドの頭部とを一体化させたことを特徴とする。
流通品の情報としては、例えば品名、産地名、生産者名、生産年月日、等級等が挙げられる。
【００２１】
上記構成によれば、ＲＦＩＤタグと結束バンドの頭部とを一体化させたことにより、結束バンドを切るとタグバンドそのものが使用できなくなるので、ＲＦＩＤタグの再利用ができなくなり偽造を防止することができる。
【００２２】
本発明のタグバンドに係る発明の他の実施の形態は、上記構成に加え、ＲＦＩＤタグは付箋状に形成されていることを特徴とする。
【００２３】
上記構成によれば、ＲＦＩＤタグは付箋状に形成されていることにより、ＲＦＩＤタグにＱＲコードを設けた後でＱＲコードを読み取ることができ、流通品の管理が容易になる。
【００２４】
本発明のタグバンドに係る発明の他の実施の形態は、上記構成に加え、ＲＦＩＤタグはＱＲコードを有することを特徴とする。
【００２５】
上記構成によれば、ＲＦＩＤタグはＱＲコードを有することにより、ＱＲコードを読み取ることで流通品の管理が容易になる。
【００２６】
本発明のタグバンドに係る発明の他の実施の形態は、上記構成に加え、ＲＦＩＤタグにＱＲコードが直接印刷されていることを特徴とする。
【００２７】
上記構成によれば、ＲＦＩＤタグにＱＲコードが直接印刷されていることにより、ＱＲコードを読み取ることで流通品の管理が容易になる。
【００２８】
本発明のタグバンドに係る発明の他の実施の形態は、上記構成に加え、ＲＦＩＤタグにＱＲコードが印刷された印刷物が貼り付けられていることを特徴とする。
【００２９】
上記構成によれば、ＲＦＩＤタグにＱＲコードが印刷された印刷物が貼り付けられていることにより、ＱＲコードを読み取ることで流通品の管理が容易になる。
【００３０】
本発明のタグバンドの使用方法の一実施の形態は、結束バンドの頭部とＲＦＩＤタグとを一体化させたタグバンドのＲＦＩＤタグに流通品に関する情報を記録した後で流通品に巻き付けることを特徴とする。
【００３１】
上記構成によれば、結束バンドの頭部とＲＦＩＤタグとを一体化させたタグバンドのＲＦＩＤタグに流通品に関する情報を記録した後で流通品に巻き付けることにより、結束バンドを切るとタグバンドそのものが使用できなくなるので、ＲＦＩＤタグの再利用ができなくなり偽造を防止することができる。
【００３２】
本発明のタグバンドの使用方法の他の実施の形態は、結束バンドの頭部とＲＦＩＤタグとを一体化させたタグバンドを流通品に巻き付けた後でＲＦＩＤタグに流通品に関する情報を記録することを特徴とする。
【００３３】
上記構成によれば、結束バンドの頭部とＲＦＩＤタグとを一体化させたタグバンドを流通品に巻き付けた後でＲＦＩＤタグに流通品に関する情報を記録することにより、結束バンドを切るとタグバンドそのものが使用できなくなるので、ＲＦＩＤタグの再利用ができなくなり偽造を防止することができ、流通品の管理が容易になる。
【００３４】
本発明のタグバンドの使用方法の他の実施の形態は、上記構成に加え、ＲＦＩＤタグはＱＲコードを有することを特徴とする。
【００３５】
上記構成によれば、ＲＦＩＤタグはＱＲコードを有することにより、ＱＲコードを読み取ることで流通品の管理が容易になる。
【００３６】
なお、上述した実施の形態は、本発明の好適な実施の形態の一例を示すものであり、本発明はそれに限定されることなく、その要旨を逸脱しない範囲内において、種々変形実施が可能である。
【実施例１】
【００３７】
〔実施例の構成〕
図１は、本発明に係るタグバンドの一実施例を示す概念図である。
図１を参照すると、本実施例のタグバンド１００は、図１には示されない流通品に関する情報データが記録されるチップ０１１と、外部機器と情報データの授受を行う（通信する）ためのアンテナ０１２とからなるＲＦＩＤタグ０２１と、結束バンド００１を同一の品とする（一体化する）ために結合する樹脂００２とから構成される。
【００３８】
樹脂００２においては、結束バンド００１とＲＦＩＤタグ０２１とを強固に繋げるためには樹脂であることは必須ではなく、例えばプラスチック板を利用した結合でもよい。本発明ではこの結合方式に関するものは定義していない。
【００３９】
〔実施例の作用の説明〕
次に、図１、図２、及び図３を参照して本実施例の作用について詳細に説明する。
図２は、図１に示したタグバンドを装着する直前の状態を示す図である。図３は、図１に示したタグバンドを装着した状態を示す図である。
本発明に係るタグバンドは、図１に示すように、情報データが記録されるＩＣチップ（以下、チップと称す。）０１１と、外部機器と情報データの授受を行う（通信する）ためのアンテナ０１２からなるＲＦＩＤタグ０２１と、結束バンド００１を同一の品とする（一体化する）ために結合する樹脂００２とから構成される。
【００４０】
結束バンド００１のバンド部００１ｂには長手方向に対して垂直な（図では横向き）方向に多数の溝００１ｂｂが形成されており、結束バンド００１の頭部（根本）００１ａの穴００１ｃに通した際にツメ０１３に引っ掛けることにより、結束バンド００１を絞る方向にしか動かない形状となっている。この結束バンド００１の構造は、本発明に関するものではなく、既存の技術製品のものである。
【００４１】
次に図２を用いて、実際の流通品００３に取り付ける場合を示す。
流通品００３はカニの例を示し、流通品００３の足に取り付ける場合の例を示す。本発明に係るタグバンド１００における結束バンド００１のバンド部００１ｂを通常の結束バンドの取り付けと同じように流通品００３の足にまわし、結束バンド００１の頭部００１ａの穴００１ｃに差し込んで絞り込む。
【００４２】
次に図３を用いて説明すると、更に結束バンド００１を絞り込み、流通品００３に固定された状態を示す。
結束バンド００１の頭部００１ａとＲＦＩＤタグ０２１とを一体化させたタグバンド１００のＲＦＩＤタグ０２１に流通品００３に関する情報を記録した後で流通品００３に巻き付けることにより、結束バンド００１を切るとタグバンド１００そのものが使用できなくなるので、ＲＦＩＤタグ０２１の再利用ができなくなり偽造を防止することができる。
【００４３】
すなわち、本発明によれば、ＲＦＩＤタグ０２１を流通品００３から取り外す場合は結束バンド００１を切る以外に方法はなく、本発明に係るタグバンド１００の再利用ができなくなるため、別の偽の流通品００３に対して、あたかも正しい情報データが記録されたＲＦＩＤタグ０２１が取り付けられているような不正な状態を防ぐことが可能となる。
【実施例２】
【００４４】
次に、本発明の他の実施例について、図４を用いて詳細に説明する。
図４は、本発明に係るタグバンドの他の実施例を示す概念図である。
図４に示すタグバンド２００においては、樹脂００２で加工されたＲＦＩＤタグ０２１の表面にシールするか、あるいは直接印刷するような形でＱＲコード０１３が設けられている。
【００４５】
結束バンド００１の頭部００１ａとＲＦＩＤタグ０２１とを一体化させたタグバンド２００のＲＦＩＤタグ０２１に流通品に関する情報を記録した後で流通品に巻き付けることにより、結束バンド００１を切るとタグバンド２００そのものが使用できなくなるので、ＲＦＩＤタグ０２１の再利用ができなくなり偽造を防止することができ、しかもＱＲコードを図示しないリーダーで読み取ることで流通品の管理が容易になる。
る。
【００４６】
すなわち、本発明によれば、ＱＲコード０１４とＲＦＩＤタグ０２１と結束バンド００１とを一体型とすることを可能とし、流通過程においてのある箇所で、ＲＦＩＤリーダーがないような場合にもＱＲコード０１４を使って情報データの識別が可能となる。
【００４７】
以上において、本発明によれば、結束バンドにＲＦＩＤタグを取り付けることにより、結束バンドを別の代替品に変更しても例えば産地情報データが入ったＲＦＩＤタグが再利用できなくすることができ、偽造を防止することができる。
【図面の簡単な説明】
【００４８】
【図１】本発明に係るタグバンドの一実施例を示す概念図である。
【図２】図１に示したタグバンドを装着する直前の状態を示す図である。
【図３】図１に示したタグバンドを装着した状態を示す図である。
【図４】図４は、本発明に係るタグバンドの他の実施例を示す概念図である。
【符号の説明】
【００４９】
００１    結束バンド
００１ａ    頭部
００１ｂ    バンド部
００１ｂｂ    溝
００１ｃ    穴
００２    樹脂
００３    流通品
０１１    チップ（ＩＣチップ）
０１２    アンテナ
０１３    ツメ
０１４    ＱＲコード
０２１    ＲＦＩＤタグ
１００、２００    タグバンド
【図１】
2008292639.tif 000003
【図２】
2008292639.tif 000004
【図３】
2008292639.tif 000005
【図４】
2008292639.tif 000006